【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
充填用容器（４３２）と、
前記充填用容器（４３２）を取外し可能に受け入れる作動ユニット（４６０）であって、前記作動ユニット（４６０）によって受け入れられたときの前記充填用容器（４３２）に対して、前記充填用容器（４３２）内に存在する間の流体を患者の腹腔への送達のための生理学的に安全な状態に置くように構成され配置された滅菌源（３４０、４６２ａ、４６２ｂ）を含む、作動ユニット（４６０）と、を備える腹膜透析システム（１００）。
【請求項２】
前記流体が水又は透析液である、請求項１に記載の腹膜透析システム（１００）。
【請求項３】
前記流体が水であり、前記腹膜透析システムが、前記水と混合されたときに前記患者の前記腹腔への送達に適した透析液を形成する添加剤のパケット（５１０）を含む、請求項１に記載の腹膜透析システム（１００）。
【請求項４】
前記充填用容器（４３２）が、前記パケット（５１０）から前記添加剤を受け取るための開口部（４４０）を提供する、請求項３に記載の腹膜透析システム（１００）。
【請求項５】
前記滅菌源（３４０、４６２ａ、４６２ｂ）が、複数の紫外線（「ＵＶ」）ライト（３４８、４９８）を含む、請求項１に記載の腹膜透析システム（１００）。
【請求項６】
前記滅菌源（３４０、４６２ａ、４６２ｂ）が、前記作動ユニット（４６０）によって受け入れられたときの前記充填用容器（４３２）の複数の側面（４５６、４５８）に隣接して配置される複数のパネル（４６２ａ、４６２ｂ）を含む、請求項１に記載の腹膜透析システム（１００）。
【請求項７】
前記作動ユニット（４６０）が、前記充填用容器に流体がどれだけ送達されたかを測定するための計測デバイスを含む、請求項１に記載の腹膜透析システム（１００）。
【請求項８】
前記計測デバイスが計量器（５６）を含む、請求項７に記載の腹膜透析システム（１００）。
【請求項９】
前記作動ユニット（４６０）が、前記作動ユニット（４６０）によって受け入れられたときの前記充填用容器（４３２）内の流体を加熱するように位置決めされ配置された加熱器（４９０）を含む、請求項１に記載の腹膜透析システム（１００）。
【請求項１０】
前記充填用容器（４３２）の入口又は出口のうちの少なくとも一方と一緒に選択可能に動作可能となるように前記作動ユニット（４６０）に操作可能に接続された少なくとも１つのバルブ（４６４、４６６）を含む、請求項１に記載の腹膜透析システム（１００）。
【請求項１１】
前記充填用容器（４３２）が入口チューブ（４３８）及び出口チューブ（４３６）を含み、前記少なくとも１つのバルブ（４６４、４６６）が、前記入口チューブ（４３８）と一緒に動作可能な充填バルブ（４６４）と、前記出口チューブ（４３６）と一緒に動作可能な注出バルブ（４６６）とを含む、請求項１０に記載の腹膜透析システム（１００）。
【請求項１２】
前記作動ユニット（４６０）が、制御ユニット（４８０）と、前記制御ユニット（４８０）にフィードバックを提供する少なくとも１つのセンサ（２１６、２１８、２３０ａ、２３０ｂ、４９４、４９６）とを含む、請求項１に記載の腹膜透析システム（１００）。
【請求項１３】
前記少なくとも１つのセンサ（２１６、２１８、２３０ａ、２３０ｂ、４９４、４９６）が前記充填用容器（４３２）に取外し可能に結合されている、請求項１２に記載の腹膜透析システム（１００）。
【請求項１４】
前記作動ユニット（４６０）から分離された滅菌ユニット（３４０）であって、腹膜透析セット（１９０、２９０）を受け入れるようなサイズにされ、前記腹膜透析セットを前記患者の前記腹腔へ流体を送達するための生理学的に安全な状態に置くように構成された滅菌ユニット（３４０）を含む、請求項１に記載の腹膜透析システム（１００）。
【請求項１５】
前記滅菌ユニット（３４０）が、前記腹膜透析セットを前記生理学的に安全な状態に置くために紫外線（「ＵＶ」）放射を使用する、請求項１４に記載の腹膜透析システム（１００）。
【請求項１６】
前記作動ユニット（４６０）及び前記滅菌ユニット（３４０）から分離された消毒ユニットであって、前記滅菌ユニット（３４０）を用いて前記腹膜透析セット（１９０、２９０）を前記生理学的に安全な状態に置く前に前記腹膜透析セットを消毒するように構成された消毒ユニットを含む、請求項１４に記載の腹膜透析システム（１００）。
【請求項１７】
前記消毒ユニットが熱水消毒ユニットである、請求項１６に記載の腹膜透析システム（１００）。
【請求項１８】
前記作動ユニット（４６０）から分離されており、前記作動ユニット（４６０）を用いて前記流体を前記生理学的に安全な状態に置く前に前記流体を浄化するための流体浄化ユニットを含む、請求項１に記載の腹膜透析システム（１００）。
【請求項１９】
前記流体浄化ユニットが蒸留、逆浸透、炭素ろ過、紫外線（「ＵＶ」）放射、電気脱イオン、限外ろ過又はこれらの任意の組合せからなる群より選択された少なくとも１つのプロセスを使用する、請求項１８に記載の腹膜透析システム（１００）。
【請求項２０】
患者に提供される腹膜透析セット（１９０、２９０）と、
前記腹膜透析セット（１９０、２９０）を前記患者に提供する前に前記腹膜透析セットを消毒するように構成された消毒ユニットと、
前記腹膜透析セット（１９０、２９０）を受け入れるようなサイズにされ、前記腹膜透析セットを前記患者の腹腔へ流体を送達するための生理学的に安全な状態に置くように構成された滅菌ユニット（３４０）と、
充填用容器（４３２）と、
前記充填用容器（４３２）を取外し可能に受け入れる作動ユニット（４６０）であって、前記作動ユニット（４６０）によって受け入れられたときの前記充填用容器（４３２）に対して、前記充填用容器（４３２）内の流体を前記患者の前記腹腔への送達のための生理学的に安全な状態に置くように構成され配置された滅菌源（４６２ａ、４６２ｂ）を含む、作動ユニット（４６０）と、を備える腹膜透析システム（１００）。
【請求項２１】
単一の施設内に設けられる、請求項２０に記載の腹膜透析システム（１００）。
【請求項２２】
患者に提供される、透析用の添加剤パケット（５１０）、消毒された腹膜透析（「ＰＤ」）セット（１９０、２９０）及びドレイン容器（１６０）と、
患者ステーションであって、
滅菌ユニット（３４０）と、充填用容器（４３２）を収容する作動ユニット（４６０）とを提供するように構成され、
前記滅菌ユニット（３４０）内に前記消毒された腹膜透析セット（１９０、２９０）を配置することを前記患者に可能とさせるように構成され、
前記消毒された腹膜透析セット（１９０、２９０）を前記患者に使用するための生理学的に安全な状態に置くことを前記滅菌ユニット（３４０）に可能とさせるように構成され、
前記添加剤パケット（５１０）の内容物を前記作動ユニット（４６０）によって収容された前記充填用容器（４３２）内に空けることを前記患者に可能とさせるように構成され、
浄化水で満たされ前記添加剤の内容物を前記浄化水と混ぜ合わせて腹膜透析液を形成することを前記充填用容器（４３２）に可能とさせるように構成され、
生理学的に安全な前記腹膜透析セット（１９０、２９０）を用いて流出流体を前記ドレイン容器（１６０）に排出することを前記患者に可能とさせるように構成され、
前記腹膜透析液を加熱し滅菌して、生理学的に安全であり且つ適正に加熱された透析液を形成することを可能とするように構成されており、かつ、
前記流出流体の排出が完了し、前記透析液が生理学的に安全であり適正に加熱されたときに、前記充填用容器（４３２）から前記腹膜透析セット（１９０、２９０）を通して前記生理学的に安全であり適正に加熱された透析液が充填されることを前記患者に可能とさせるように構成されている、
患者ステーションと、を含む腹膜透析システム。
【請求項２３】
前記患者ステーションが、前記ドレイン容器（１６０）に排出される流出流体の量を計量することを可能とするように構成される、請求項２２に記載の腹膜透析システム。
【請求項２４】
前記患者ステーションが、前記患者に送達される生理学的に安全であり適正に加熱された透析液の量を計量し、前記送達された量を前記排出された量から差し引き、前記患者から除去された限外ろ過（「ＵＦ」）の量を測定することを可能とするように構成される、請求項２３に記載の腹膜透析システム。